(57)【特許請求の範囲】
【請求項１】
在庫管理及び／または工程管理を行うホストコンピュータに有線又は無線で接続されるコンピュータと、当該コンピュータにつながり作業現場に配置される表示装置と、前記コンピュータにつながり作業現場に配置される２つ以上の物理的入力釦とを有する入力システムであって、
前記コンピュータは、前記ホストコンピュータからの情報を受け取るインターフェイス部、当該インターフェイス部により受け取った情報に基づいて前記作業現場で作業を行う作業者が選択すべき選択要素が含まれた１または２以上の選択入力画面を作成する選択入力画面作成部、当該選択入力画面を前記表示装置に表示するための表示部、当該コンピュータで処理された情報を前記ホストコンピュータに送信する出力部とを備え、
前記表示装置に表示された前記選択入力画面には、当該選択入力画面において必要とされる前記物理的入力釦を示す入力釦映像及び当該選択入力画面において必要とされる前記物理的入力釦の作用を説明し、前記入力釦映像に関連付けられて付された作用表示映像が示され、前記選択要素であって、前記物理的入力釦を用いて前記作業者によって選択された選択要素が、前記出力部を通じて前記ホストコンピュータに送信されることを特徴とする入力システム。
【請求項２】
前記物理的入力釦が、前記選択入力画面のページ戻しの釦並びにページ送り及び/または決定の釦の２つの釦と、前記選択入力画面内の上方向移動の釦、下方向移動の釦、右方向移動の釦及び左方向移動の釦の４つの釦の合計６つの釦からなる請求項１に記載の入力システム。
【請求項３】
前記物理的入力釦が、押し釦またはフットスイッチである請求項１または２に記載の入力システム。
【請求項４】
在庫管理及び／または工程管理を行うホストコンピュータに有線又は無線で接続されるコンピュータ、当該コンピュータにつながり作業現場に配置される表示装置、前記コンピュータにつながり作業現場に配置される２つ以上の物理的入力釦とを有し、前記コンピュータは、前記ホストコンピュータからの情報を受け取るインターフェイス部、当該インターフェイス部により受け取った情報に基づいて前記作業現場で作業を行う作業者が選択すべき選択要素が含まれた１または２以上の選択入力画面を作成する選択入力画面作成部、当該選択入力画面を前記表示装置に表示するための表示部、当該コンピュータで処理された情報を前記ホストコンピュータに送信する出力部とを備える入力システムにおける情報を受け渡しする方法であって、
前記インターフェイス部が前記ホストコンピュータより情報を受け取るステップ、
前記インターフェイス部が受け取った情報に基づいて前記作業現場で作業を行う作業者が選択すべき選択要素が含まれた１または２以上の選択入力画面を作成するステップであって、当該選択入力画面において必要とされる前記物理的入力釦を示す入力釦映像及び当該選択入力画面において必要とされる前記物理的入力釦の作用を説明し、前記入力釦映像に関連付けられて付された作用表示映像を示す択入力画面を作成するステップ、
前記作業者が前記入力釦映像及び作用表示映像を見て、前記物理的入力釦を操作して選択すべき選択要素を選択するステップ、
選択された選択要素の情報が、前記出力部を通じて前記ホストコンピュータに送信されるステップ、を含む情報を受け渡しする方法。
【請求項５】
請求項４に記載の情報を受け渡しする方法を前記入力システムに実行させるための、プログラム。
【発明の詳細な説明】
【技術分野】
【０００１】
この発明は、作業者が通常のコンピュータ入力手段を使うことができない製造現場等で入力することができる入力システム及びこれを用いた情報を受け渡しする方法に関する。
【背景技術】
【０００２】
在庫管理や工程管理は経営上極めて重要な要素であり、企業の大小にかかわらず、製造現場等での正確な工程進行状況の把握や製品在庫の把握は非常に重要である。営業部門から受注を受けた製造管理部門が、その受注に対して完成品在庫の数量と製造仕掛中の製品の数量を瞬時に把握して営業部門に回答することは、企業間競争を勝ち抜くためにも必要な状況になっている。在庫管理や工程管理を効率よく進めるために、製造現場等で作業者が入力した情報をリアルタイムにホストコンピュータに送って管理を行うことが望ましい。
【０００３】
ＩＴ技術が発展する前は、製造現場においては製品とともにロットカードや作業指図書等と呼ばれる紙媒体を工程ラインに流して、工程完了後に事務所で管理担当者がパソコンに入力して集計作業を行ってきた。このような紙媒体を用いる方法では、タイムラグが発生してしまうため、製造現場にパソコンやタブレット端末を導入して、作業者が作業完了の都度これらパソコン等のキーボード等に入力し、ホストコンピュータにデータを送って、リアルタイムの在庫管理や工程管理が行われるようになってきた。
【発明の概要】
【発明が解決しようとする課題】
【０００４】
上記のような紙媒体に記載された結果を工程管理者等がコンピュータに入力する場合は、上述の通りタイムラグが避けられず、作業者の記載と工程管理者のコンピュータ入力の二重の手間の発生も避けられない。さらに、工程管理者のコンピュータ入力に間違いがないとはいえず、ホストコンピュータに蓄積されるデータの信頼性にも問題があった。
【０００５】
上記のような製造現場等にパソコンやタブレット端末を導入する場合、製造現場等の環境によっては、キーボード等の入力装置を現場に配備できないようなケースや、作業者がキーボード等の入力装置を使用できないケースがある。保護手袋をして行う作業、塵埃環境下で行う作業、高湿度環境下で行う作業、身体に障害を有する作業者が行う作業等の種々のケースがあり、例えば、溶接作業、鍛造作業、機械加工作業、メッキ作業、鋳造作業、酸処理作業、鋳型作成作業、組み立て作業等、その作業種類は非常に数多く多岐にわたっている。
【０００６】
このような、キーボード等の通常の入力手段が利用できない状況に対する対応として、種々のセンサを製造現場や製造設備に配置して、センサで認識した情報を直接ホストコンピュータに送ることも考えられる。例えば、カメラで作業者の顔を写して顔認識ソフトで作業者の名前を特定する方法、作業完了した製品の重量を測定し、単位重量で除して完成品数を計算してホストコンピュータにその数量データを送る方法などである。このようなＩｏＴの技術を駆使し、リアルタイムに製造現場等からの情報をホストコンピュータに吸い上げて、在庫管理や製造管理を行うためには数多くのセンサを装置に取り付け、数多くのプログラムを走らせる必要があり、そのためには多大な費用を要する。このような方法を駆使して現場情報をホストコンピュータに送るためには莫大な投資が必要であり、大企業でも利益に見合う投資を行うことができず、中小企業においてはなおさらである。
【０００７】
このような状況下、製造現場において作業者がリアルタイムにコンピュータ入力ができず、そのような環境の作業では紙媒体に頼らざるを得ず、ＩＴ技術の発展した現下においても、先端技術を応用した情報をやり取りする世界から置き去りにされた状態が続いている。
【０００８】
本発明は、かかる点に鑑みてなされたものであり、その目的は、コンピュータ入力を行うことが難しい作業現場等において、軽微な投資によって作業者が情報をコンピュータに入力することができる入力装置を提供し、この入力装置を用いてホストコンピュータに情報を送る方法を提供することにある。
【課題を解決するための手段】
【０００９】
上記課題を解決するためになされた本発明に係る本発明（１）は、在庫管理及び／または工程管理を行うホストコンピュータに有線又は無線で接続されるコンピュータと、当該コンピュータにつながり作業現場に配置される表示装置と、前記コンピュータにつながり作業現場に配置される２つ以上の物理的入力釦とを有する入力システムであって、前記コンピュータは、前記ホストコンピュータからの情報を受け取るインターフェイス部、当該インターフェイス部により受け取った情報に基づいて前記作業現場で作業を行う作業者が選択すべき選択要素が含まれた１または２以上の選択入力画面を作成する選択入力画面作成部、当該選択入力画面を前記表示装置に表示するための表示部、当該コンピュータで処理された情報を前記ホストコンピュータに送信する出力部とを備え、前記表示装置に表示された前記選択入力画面には、当該選択入力画面において必要とされる前記物理的入力釦を示す入力釦映像及び当該選択入力画面において必要とされる前記物理的入力釦の作用を説明し、前記入力釦映像に関連付けられて付された作用表示映像が示され、前記選択要素であって、前記物理的入力釦を用いて前記作業者によって選択された選択要素が、前記出力部を通じて前記ホストコンピュータに送信されることを特徴とする入力システムである。
【００１０】
本発明（１）の入力システムでは、キーボード等の入力手段の代わりに物理的入力釦という入力手段を作業者が取り扱うことが特徴である。物理的入力釦を用いるため、どのような環境であってもわずかな対応、例えば防塵対策や防湿対策を講じておけば、保護手袋等をしている作業者であっても物理的入力釦を押すだけで操作できるので、環境に依存することがなく、作業者の身体の状態にかかわらず情報をコンピュータに入力することができる。
【００１１】
物理的入力釦の操作を補助するために、表示装置に映される作業者が選択すべき選択要素が含まれた１または２以上の選択入力画面がある。この選択入力画面内に、作業者が選択すべき選択要素、例えば作業者の名前等が表示されている。さらに、選択入力画面には、選択入力画面において必要とされる物理的入力釦を示す入力釦映像及び選択入力画面において必要とされる物理的入力釦の作用を説明し、入力釦映像に関連付けられて付された作用表示映像が示されているので、作業者はこれらの情報を基にして、物理的入力釦を操作することによって簡便に製造現場における情報を、例え保護手袋等をしている状態であってもコンピュータに入力することができ、この入力システムの実現のためには大きな投資は必要ではなく、軽微な投資で実現可能となる。作用表示映像は、全ての入力釦映像に対して必ずしも必要とされるものではなく、物理的入力釦の中の特定の物理的入力釦の作用が常に一定の場合は、その作用表示映像は作業者にとっては必要がないため当然に省略できる。
【００１２】
本発明（２）の入力システムは、前記物理的入力釦が、前記選択入力画面のページ戻しの釦並びにページ送り及び/または決定の釦の２つの釦と、前記選択入力画面内の上方向移動の釦、下方向移動の釦、右方向移動の釦及び左方向移動の釦の４つの釦の合計６つの釦からなる本発明（１）の入力システムである。
【００１３】
物理的入力釦の数を、製造現場等における作業内容によって種々の数が考えられるが、ページ戻しの釦並びにページ送り及び/または決定の釦の２つの釦と、前記選択入力画面内の上方向移動の釦、下方向移動の釦、右方向移動の釦及び左方向移動の釦の４つの釦の合計６つとすることによって、ほとんどの製造現場等における作業に対応することができる。
【００１４】
本発明（３）の入力システムは、物理的入力釦が、押し釦またはフットスイッチである本発明（１）または（２）の入力システムである。押し釦またはフットスイッチであることによって、より簡便に作業者が操作をすることができる。押し釦のなかでもキノコ型押し釦が好ましい。
【００１５】
本発明（４）の情報を受け渡しする方法は、在庫管理及び／または工程管理を行うホストコンピュータに有線又は無線で接続されるコンピュータ、当該コンピュータにつながり作業現場に配置される表示装置、前記コンピュータにつながり作業現場に配置される２つ以上の物理的入力釦とを有し、前記コンピュータは、前記ホストコンピュータからの情報を受け取るインターフェイス部、当該インターフェイス部により受け取った情報に基づいて前記製造現場で作業を行う作業者が選択すべき選択要素が含まれた１または2以上の選択入力画面を作成する選択入力画面作成部、当該選択入力画面を前記表示装置に表示するための表示部、当該コンピュータで処理された情報を前記ホストコンピュータに送信する出力部とを備える入力システムにおける情報を受け渡しする方法であって、前記インターフェイス部が前記ホストコンピュータより情報を受け取るステップ、前記インターフェイス部が受け取った情報に基づいて前記製造現場で作業を行う作業者が選択すべき選択要素が含まれた１または2以上の選択入力画面を作成するステップであって、当該選択入力画面において必要とされる前記物理的入力釦を示す入力釦映像及び当該選択入力画面において必要とされる前記物理的入力釦の作用を説明し、前記入力釦映像に関連付けられて付された作用表示映像を示す択入力画面を作成するステップ、前記作業者が前記入力釦映像及び作用表示映像を見て、前記物理的入力釦を操作して選択すべき選択要素を選択するステップ、選択された選択要素の情報が、前記出力部を通じて前記ホストコンピュータに送信されるステップ、を含む情報を受け渡しする方法である。
【００１６】
本発明（４）の情報を受け渡しする方法によると、本発明（１）と同じく、コンピュータ入力を行うことが難しい作業現場等において、軽微な投資によって作業者が情報をコンピュータに入力することができる。
【００１７】
本発明（５）のプログラムは、本発明（４）の情報を受け渡しする方法を入力システムに実行させるための、プログラムである。本発明（５）のプログラムを用いることによって、コンピュータ入力を行うことが難しい作業現場等において、軽微な投資によって作業者が情報をコンピュータに入力することができる。
【発明の効果】
【００１８】
本発明によれば、コンピュータ入力を行うことが難しい作業現場等において、軽微な投資によって作業者が情報をコンピュータに入力することができる入力装置を提供し、この入力装置を用いてホストコンピュータに情報を送る方法を提供することができる。
【図面の簡単な説明】
【００１９】
【図１】本発明の入力システムを用いてホストコンピュータに情報を送る状況を模式的に示す。
【図２】選択入力画面の一例である作業一覧画面を示す。
【図３】選択入力画面の一例である作業者登録画面を示す。
【図４】選択入力画面の一例である実績入力画面を示す。
【図５】選択入力画面の一例である図面表示画面を示す。
【図６】選択入力画面の一例であるズームアップ図面表示画面を示す。
【図７】選択入力画面の一例である不良入力画面を示す。
【図８】選択入力画面の一例である確認画面を示す。
【図９】本発明を用いて製造現場等において作業者が物理的入力釦を操作して情報をコンピュータに送る一連の操作のフローチャートの一例を示す。
【発明を実施するための形態】
【００２０】
以下、本発明の実施形態を図面に基づいて詳細に説明する。なお、以下の実施形態は、本質的に好ましい例示であって、本発明、その適用物、あるいはその用途の範囲を制限することを意図するものではない。
【００２１】
図１は、本発明の入力システム１を用いてホストコンピュータ１０に情報を送る状況を模式的に示すものである。作業者６０は、保護手袋６１を装着して、酸処理液６４で満たされた酸処理洗浄浴槽６３に製品が入った酸洗浄用バスケット６２の出し入れを行っている。このような作業を行っている作業者は、保護手袋６１を作業中装着しているためキーボード等の通常のコンピュータ入力装置を操作することはできない。
【００２２】
ホストコンピュータ１０とコンピュータ３０とはインターネット回線２０を介してつながっている。物理的入力釦４０と表示装置５０は、コンピュータ３０とつながっている。物理的入力釦４０は６つの入力釦である、物理的入力釦（Ｕ）４１Ｕ、物理的入力釦（Ｄ）４１Ｄ、物理的入力釦（Ｒ）４１Ｒ、物理的入力釦（Ｌ）４１Ｌ、物理的入力釦（Ｅ）４１Ｅ及び物理的入力釦（Ｂ）４１Ｂから構成されている。ここで、物理的入力釦の語の後ろに括弧で付されているアルファベットは、Ｕは上、Ｄは下、Ｒは右、Ｌは左、Ｅはエンター、Ｂはバックの意味で便宜的に付しているに過ぎない。図１の物理的入力釦４０と入力釦映像とは、釦位置と釦模様で対応関係をわかりやすく識別しているが、その他に、色による識別であっても良い。コンピュータ１０は製造現場等の作業者近くに配置する必要は必ずしもなく、製造現場の環境によっては離れた別室に配置し、コンピュータ３０と物理的入力釦４０及び表示装置５０とは、ローカルエリアネットワーク（ＬＡＮ）回線でつないでもよい。
【００２３】
表示装置５０の画面には、選択入力画面５３が映し出され、その中に選択要素５４がある。選択入力画面５３の右側には、物理的入力釦４０に対応する、入力釦映像５１と作用表示映像５２が映し出されている。入力釦映像５１は、入力釦映像（Ｕ）５１Ｕ、入力釦映像（Ｄ）５１Ｄ、入力釦映像（Ｒ）５１Ｒ、入力釦映像（Ｌ）５１Ｌ、入力釦映像（Ｅ）５１Ｅ及び入力釦映像（Ｂ）５１Ｂから構成されている。ここで、入力釦映像の語の後ろに括弧で付されているアルファベットは、物理的入力釦の語の後ろに括弧で付されているアルファベットと同じ意味である。作用表示映像５２は、作用表示映像（Ｕ）５２Ｕ、作用表示映像（Ｄ）５２Ｄ、作用表示映像（Ｒ）５２Ｒ、作用表示映像（Ｌ）５２Ｌ、作用表示映像（Ｅ）５２Ｅ及び作用表示映像（Ｂ）５２Ｂから構成されている。ここで、作用表示映像の語の後ろに括弧で付されているアルファベットは、物理的入力釦の語の後ろに括弧で付されているアルファベットと同じ意味である。
【００２４】
情報の流れの概略を、図１を用いて示す。ホストコンピュータ１０からの情報がインターネット回線２０を経由してコンピュータ３０のインターフェイス部３１に流れ、その情報は、選択入力画面作成部３２で処理され、表示部３３を経由して表示装置５０の画面に映し出される。作業者６０は、表示装置５０に映し出される映像を見て、その映像を参考にして、物理的入力釦４０の中のいずれかの釦を押して操作し、その情報の一部は選択入力画面作成部３２にラインＬ１を通って流れ、表示装置５０の映像を更新する。その情報の一部は、ラインＬ２を通って出力部３４に入り、インターネット回線３０を介してホストコンピュータ１０のメモリに格納される。
【００２５】
図２〜８は、表示装置５０に映し出される種々の選択入力画面５３であって、機械加工の製造現場の選択入力画面５３の例を示している。順に説明する。ホストコンピュータ１０からのデータに基づき、作業一覧が示されている。以下、一部符号のみで記載する場合がある。５１Ｕ、５２Ｕ、５１Ｄ及び５２Ｄを参考にして対応する物理的入力釦４０を押して選択をし、５１Ｅに対応する物理的入力釦４１Ｅを押すと図３の作業者登録に移る。
【００２６】
図３の作業者登録の画像では、選択要素５３の中の作業者自身の名前を５１Ｕ，５１Ｒ及び５２Ｄに対応する物理的入力釦４０を押して選択をし、５１Ｅに対応する物理的入力釦４１Ｅを押して図４の実績入力に移る。図２の作業一覧に戻る場合は、５１Ｂに対応する物理的入力釦４１Ｂを押す。
【００２７】
図４の実績入力の画像では、作業が完了するとカウントアップの５１Ｕに対応する物理的入力釦４１Ｕを押して実績数を増やす。誤ってカウントアップした場合は、カウントダウンの５１Ｄに対応する物理的入力釦４１Ｄを押して実績数の修正を行う。作業中に図面を見たい場合は、図面表示５１Ｌに対応する物理的入力釦４１Ｌを押して図５の図面表示に移る。
【００２８】
図５の図面表示では、品目Ｒ００２−１の図面が表示されているので、作業者は作業中にその図面を参考にして作業を行うことができる。図面表示の選択入力画面には、入力釦映像は、５１Ｕと５１Ｂしかない。これは、この画面ではこれだけで足りるからである。ズームアップ５１Ｕに対応する物理的入力釦４１Ｕを押すと、図６のズームアップ図面表示に移行する。図６のズームアップ図面表示の５１Ｕ、５１Ｄ、５１Ｒ及び５１Ｌに対応する物理的入力釦４０を押すと、ズームアップ図面の位置が移動して、作業者が見たい部分を拡大して見ることができる。５１Ｂに対応する物理的入力釦４１Ｂを押すと、図５の図面表示に戻り、さらに５１Ｂに対応する物理的入力釦４１Ｂを押すと、図４の実績入力に戻ることができる。
【００２９】
作業を続けて行っていくと、いずれ実績数が指示数と一致する。この時点で作業は完了するが、作業中に不良品が発生した場合は、不良品入力５１Ｒに対応する物理的入力釦４１Ｒを押して、図７の不良入力に移行する。５１Ｕ又は５１Ｄに対応する物理的入力釦４０を押して該当する不良内容をハイライトさせて、不良入力５１Ｌに対応する物理的入力釦４１Ｌを押すと、該当する不良内容が１つカウントされる。ここで、５１Ｅに対応する物理的入力釦４１Ｅを押すと、図８の確認に移行する。５１Ｂに対応する物理的入力釦４１Ｂを押すと、図４の実績入力に戻ることができる。
【００３０】
図８の確認では、作業結果が表示されている。これを見て問題がなければ、５１Ｅに応する物理的入力釦４１Ｅを押して情報がラインＬ２を通って出力部３４に送られ、インターネット回線２０を経由してホストコンピュータ１０のメモリに格納される。図７の不良入力から５１Ｂに対応する物理的入力釦４１Ｂを押して、図４の実績入力に戻ることもできる。
【００３１】
図９は、本発明の入力システムを用いて製造現場において作業者が物理的入力釦を操作して情報をコンピュータに送る一連の操作のフローチャートの一例を示している。ステップＳ１で、ホストコンピュータ１０からパソコンに情報をダウンロードし、図２の作業一覧が表示装置５０に表示される。Ｓ２で作業を選択して実行すると、図３の作業者登録に移行する。ステップＳ３で、作業者登録画面の作業者を選択して実行すると図４の実績入力画面に移行する。ステップＳ４で、実績入力画面の表示内容が正しいかどうか確認をする。作業開始前に作業をする上で図面確認が必要であれば、ステップＳ６で図面表示画面に移行する。ステップＳ７で、図面表示の拡大が必要な場合は、図６のズームアップ図面表示画面に移行する。ステップ８で、ズームアップされた図面を確認し、図面完了後にステップＳ９で、作業を実施する。ステップ１０で、作業実施の結果、良品が製造されたか否か判断する。不良品の場合は、ステップ１１で、図４の不良入力を行い図７の不良入力画面に移行する。その後、ステップ１２で不良内容を選択して不良入力を行う。その後Ｓ９の作業実施に戻る。ステップ１０で、作業実施の結果、良品が製造されたと判断された場合は、ステップ１３で、図４の実績入力においてカウントアップを行う。作業継続の結果、ステップ１４で、実績数と指示数が同じであれば、Ｓ１５のステップで確認画面に移行して、確認後終了する。実績数と指示数が異なれば、ステップＳ９に戻って作業を継続する。
【産業上の利用可能性】
【００３２】
以上説明したように、本発明の入力システムは、コンピュータ入力を行うことが難しい作業現場等において、軽微な投資によって作業者が情報をコンピュータに入力することができる入力装置を提供できるので、ＩＴ技術を利用して現場情報をコンピュータに入力が難しい環境であっても、リアルタイムに現場情報をホストコンピュータに好適に送ることができる。
【符号の説明】
【００３３】
１    入力システム
１０  ホストコンピュータ
２０  インターネット回線
３０  コンピュータ
３１  インターフェイス部
３２  選択入力画面作成部
３３  表示部
３４  出力部
４０  物理的入力釦
４１Ｕ  物理的入力釦（Ｕ）
４１Ｄ  物理的入力釦（Ｄ）
４１Ｒ  物理的入力釦（Ｒ）
４１Ｌ  物理的入力釦（Ｌ）
４１Ｅ  物理的入力釦（Ｅ）
４１Ｂ  物理的入力釦（Ｂ）
５０  表示装置
５１  入力釦映像
５１Ｕ  入力釦映像（Ｕ）
５１Ｄ  入力釦映像（Ｄ）
５１Ｒ  入力釦映像（Ｒ）
５１Ｌ  入力釦映像（Ｌ）
５１Ｅ  入力釦映像（Ｅ）
５１Ｂ  入力釦映像（Ｂ）
５２  作用表示映像
５２Ｕ  作用表示映像（Ｕ）
５２Ｄ  作用表示映像（Ｄ）
５２Ｒ  作用表示映像（Ｒ）
５２Ｌ  作用表示映像（Ｌ）
５２Ｅ  作用表示映像（Ｅ）
５２Ｂ  作用表示映像（Ｂ）
５３  選択入力画面
５４  選択要素
６０  作業者
６１  保護手袋
６２  酸洗浄用バスケット
６３  酸洗浄浴槽
６４  酸処理液
【要約】
【課題】作業現場等において、軽微な投資によって作業者が情報をコンピュータに入力することができる入力装置を提供すること。
【解決手段】ホストコンピュータに接続されるコンピュータと、表示装置と、物理的入力釦とを有する入力システムである。コンピュータは、インターフェイス部、作業現場で作業を行う作業者が選択すべき選択要素が含まれた１または２以上の選択入力画面を作成する選択入力画面作成部、選択入力画面を表示装置に表示するための表示部、情報をホストコンピュータに送信する出力部とを備え、選択入力画面には、選択入力画面において必要とされる物理的入力釦を示す入力釦映像及び選択入力画面において必要とされる物理的入力釦の作用を説明する作用表示映像が示されている。物理的入力釦を用いて作業者によって選択された選択要素が、出力部を通じてホストコンピュータに送信される。
【選択図】図１【図１】
0006956437.tif 000002
【図２】
0006956437.tif 000003
【図３】
0006956437.tif 000004
【図４】
0006956437.tif 000005
【図５】
0006956437.tif 000006
【図６】
0006956437.tif 000007
【図７】
0006956437.tif 000008
【図８】
0006956437.tif 000009
【図９】
0006956437.tif 000010